(57)【要約】      （修正有）【課題】複数の多辺形のＬＥＤモジュールを多様に組み合わせることができ、高い拡張性と可変性を備え、時間とコストを節約できる、多辺形ＬＥＤの連結構造体を提供する。【解決手段】多辺形ＬＥＤの連結構造体は、変圧器によりＬＥＤモジュールアッセンブリを制御して作動させ、前記ＬＥＤモジュールアッセンブリが主に複数の多辺形ＬＥＤモジュールを組み合わせて成り、前記ＬＥＤモジュールの側辺の長さが相互に対応して組み合わせることができ、前記ＬＥＤモジュールの任意の側辺を相互に組み合わせて連結させることができるため、使用者は必要や好みに応じて組み立てや結合を行い、拡張性が高く、高輝度で、面光源性に優れ、コストが低く、１つの変圧器で前記ＬＥＤモジュールアッセンブリを制御できる。【選択図】図１
0003158252.tif 000002
【実用新案登録請求の範囲】
【請求項１】
多辺形ＬＥＤの連結構造体であって、変圧器によりＬＥＤモジュールアッセンブリを制御し、前記ＬＥＤモジュールアッセンブリが複数の多辺形ＬＥＤモジュールを組み合わせて構成され、前記ＬＥＤモジュールの側辺の長さが相互に対応して組み合わせることができ、前記ＬＥＤモジュールの任意の側辺を相互に接合して連結させることができることを特徴とする、多辺形ＬＥＤの連結構造体。
【請求項２】
前記ＬＥＤモジュールが、螺合固定、半田付け固定、嵌入固定、緊密接合、接着固定等で相互に連結されることを特徴とする、請求項１に記載の多辺形ＬＥＤの連結構造体。
【請求項３】
前記ＬＥＤモジュールが、少なくとも１つのＬＥＤ発光素子を含むことを特徴とする、請求項１に記載の多辺形ＬＥＤの連結構造体。
【考案の詳細な説明】
【技術分野】
【０００１】
本考案は多辺形ＬＥＤに関し、特に、複数の多辺形のＬＥＤモジュールを多様な変化で組み合わせ、高い拡張性と可変性を備え、時間とコストを節約できる、多辺形ＬＥＤの連結構造体に関する。
【背景技術】
【０００２】
発光ダイオード（ＬＥＤ）は固体の半導体素子であり、電子ホールの相互の組み合わせを利用して、エネルギーを光の形式で放出するものであり、冷光発光に属し、体積が小さい、反応速度が速い、使用寿命が長い、消費電力が低い、耐振動性が高い、汚染がない、等の利点を備えており、各種電器、情報看板、通信製品等の発光素子として、現在までにすでに広く各領域において運用されている。特に、現在の照明設備において、発光ダイオードを発光素子とした利用は、初期の発光ダイオードの効率は従来の照明設備ほどよくなかったが、後続の技術及び材料の改良によって、発光ダイオードが作り出す発光輝度の進歩は顕著であり、従来の発光素子を徐々に代替しつつある。
【０００３】
従来のＬＥＤモジュールのプロセスにおいては、ＬＥＤを個別にパッケージした後、ＬＥＤパッケージを形成し、表面実装技術（ＳＭＴ）を利用してＬＥＤの電極を基板上に半田付けし、電気回路を形成して、ＬＥＤモジュールとする必要がある。そのうち基板とは通常プリント配線板（ＰＣＢ）である。
【０００４】
そのうち、ＬＥＤモジュールは皆拡張を行うことができず、そのほとんどが半田付けで固定された後に新たに増加し、接続して拡張することはできない。使用者がＬＥＤモジュールの数を増加したい場合は全部を交換する必要があり、コスト面で大きな負担となる。拡張性の不足はコストの増加を招き、かつ交換に時間もかかるため、これらがすべて産業上の競争力を向上できない原因となる。
【０００５】
また、いずれか１組のＬＥＤモジュールが故障したり、動作効率が悪くなったりした場合、１つのみを交換することはできず、全体を交換する必要があり、これもコスト面及び時間面で非常に非効率である。
【０００６】
したがって、上述の従来品の問題と欠点をいかに解決するかが、本考案の考案者及び関連産業に従事するメーカーが改善を研究する方向性である。
【考案の概要】
【考案が解決しようとする課題】
【０００７】
このため、本考案の考案者は上述の欠点に鑑みて、関連資料を収集し、多方面の評価と考慮を経て、関連産業に従事した長年の経験に基づき試作と修正を重ね、この複数の多辺形のＬＥＤモジュールを多様な変化で組み合わせることができ、高い拡張性と可変性を備え、時間とコストを節約できる、多辺形ＬＥＤの連結構造体の開発に至った。
【０００８】
本考案の主な目的は、複数の多辺形のＬＥＤモジュールを多様な変化で組み合わせることができ、高い拡張性と可変性を備え、時間とコストを節約できる、多辺形ＬＥＤの連結構造体を提供することにある。
【課題を解決するための手段】
【０００９】
本考案の多辺形ＬＥＤの連結構造体は、前記連結構造体が変圧器及びＬＥＤモジュールアッセンブリを含み、前記変圧器は前記ＬＥＤモジュールアッセンブリと電気的に接続され、前記ＬＥＤモジュールアッセンブリを制御し、前記ＬＥＤモジュールアッセンブリは複数の多辺形ＬＥＤモジュールを組み合わせて構成され、前記ＬＥＤモジュールの側辺の長さは相互に対応させて組み合わせることができ、前記ＬＥＤモジュールの任意の側辺を相互に接合して連結させることができ、使用者が前記ＬＥＤモジュールを拡張したいときは、ＬＥＤモジュールの側辺を別のＬＥＤモジュールの側辺と結合させることにより、前記ＬＥＤモジュールを相互に連結して固定する。その結合方式は螺合固定、半田付け固定、嵌入固定、緊密接合、接着固定等とすることができる。上述の技術により、従来のＬＥＤモジュールに存在する、拡張を行うことができず、そのほとんどが半田付けで固定された後に新たに増加し、接続して拡張することはできないため、使用者がＬＥＤモジュールの数を増加したい場合は全部を交換する必要があり、コスト面で大きな負担となり、拡張性の不足はコストの増加を招き、かつ交換に時間もかかるため、これらがすべて産業上の競争力を向上できない原因となることに加え、いずれか１組のＬＥＤモジュールが故障したり、動作効率が悪くなったりした場合、１つのみを交換することはできず、全体を交換する必要があり、これもコスト面及び時間面で非常に非効率であるという問題点を打破し、前記多辺形ＬＥＤモジュールの側辺の長さが相互に対応して組み合わせられることにより、前記ＬＥＤモジュールの任意の側辺を相互に接合して連結させることができ、使用者が必要や好みに応じて組み立てたり、結合させたりすることができ、拡張性が高く、高輝度で、面光源性に優れ、コストが低く、１つの変圧器で前記ＬＥＤモジュールアッセンブリを制御することができ、進歩性を備えている。
【考案の効果】
【００１０】
全部の図に示すように、本考案の使用時には、従来技術と比較して、次のような利点が確実に存在する。
一、  
多辺形ＬＥＤモジュール２１の設計により、ＬＥＤモジュール２１の数量を自ら拡張できる。
二、  
面光源性に優れている。
三、  
１つの変圧器１０で複数のＬＥＤモジュール２１を制御でき、変圧器１０を追加する必要がなく、コスト節約の目的を達することができる。
【図面の簡単な説明】
【００１１】
【図１】本考案のＬＥＤモジュールアッセンブリの平面図である。
【図２】本考案の最良の実施例のブロック図である。
【図３】本考案の実施例１のＬＥＤモジュールの結合を示す立体図である。
【図４】本考案の実施例２の立体図である。
【図５】本考案の実施例３の立体図である。
【図６】本考案の実施例３の立体分解図である。
【考案を実施するための形態】
【００１２】
上述の目的及び効果を達するため、本考案が採用する技術手段及び構造について、図面と本考案の最良の実施例に基づき、その特徴と機能を以下で詳細に説明する。
【００１３】
図１と図２に本考案のＬＥＤモジュールアッセンブリの平面図及び本考案の最良の実施例のブロック図をそれぞれ示す。これらの図からはっきりと分かるように、本考案は変圧器１０でＬＥＤモジュールアッセンブリ２０を制御し、前記ＬＥＤモジュールアッセンブリ２０が複数の多辺形ＬＥＤモジュール２１を組み合わせて構成され、前記ＬＥＤモジュール２１が少なくとも１つのＬＥＤ発光素子２１２を含み、前記ＬＥＤモジュール２１の側辺２１１の長さが相互に対応して組み合わせることができ、前記ＬＥＤモジュール２１の任意の側辺２１１を相互に接合して連結させることができ、前記ＬＥＤモジュール２１は側辺２１１の連結により、さまざまな異なる態様に拡張し、その面光源を増加することができることを特徴とする。
【実施例１】
【００１４】
上述の構造、構成設計に基づき、本考案の使用状況について以下で説明する。図２、図３に本考案の最良の実施例のブロック図及び実施例１のＬＥＤモジュールの結合を示す立体図を示す。これらの図からはっきりと分かるように、前記連結構造体が変圧器１０とＬＥＤモジュールアッセンブリ２０を含み、前記変圧器１０は前記ＬＥＤモジュールアッセンブリ２０と電気的に接続されて、前記ＬＥＤモジュールアッセンブリ２０を制御し、前記ＬＥＤモジュールアッセンブリ２０は複数の多辺形ＬＥＤモジュール２１を組み合わせて構成され、前記ＬＥＤモジュール２１の側辺２１１の長さは相互に対応して組み合わせることができ、前記ＬＥＤモジュール２１の任意の側辺２１１を相互に接合して連結でき、使用者が前記ＬＥＤモジュール２１を拡張したいときは、ＬＥＤモジュール２１の側辺２１１と別のＬＥＤモジュール２１の側辺２１１を相互に連結することにより、前記ＬＥＤモジュール２１を相互に結合させて固定する。その連結方式は、螺合固定、半田付け固定、嵌入固定、緊密接合、接着固定等とすることができる。使用者は前記ＬＥＤモジュール２１を随意に拡張でき、変圧器１０を追加設置する必要なく、前記ＬＥＤモジュール２１を制御することができる。
【実施例２】
【００１５】
図４に本考案の実施例２の立体図を示す。この図からはっきりと分かるように、前記ＬＥＤモジュールアッセンブリ２０ａは複数の多辺形ＬＥＤモジュール２１ａを組み合わせて構成され、前記ＬＥＤモジュール２１ａは少なくとも１つのＬＥＤ発光素子２１２ａを含み、前記ＬＥＤモジュール２１ａの側辺２１１ａの長さは相互に対応して組み合わせることができ、環状形など（この配列の組み合わせ及びＬＥＤ発光素子２１２ａの数量に限定されない）、異なる態様の図形に組み合わせることができる。
【実施例３】
【００１６】
図５と図６に本考案の実施例３の立体図を示す。これらの図からはっきりと分かるように、前記ＬＥＤモジュールアッセンブリ２０ｂは複数の多辺形ＬＥＤモジュール２１ｂを組み合わせて構成され、前記ＬＥＤモジュール２１ｂは少なくとも１つのＬＥＤ発光素子２１２ｂを含み、前記ＬＥＤモジュール２１ｂの側辺２１１ｂの長さは相互に対応して組み合わせることができ、三角形など（この配列の組み合わせ及びＬＥＤ発光素子２１２ｂの数量に限定されない）、異なる態様の図形に組み合わせることができる。
【００１７】
以上の説明は本考案の最良の実施例を示したものであり、本考案の特許範囲を限定せず、本考案の明細書及び図面の内容を運用した簡易な修飾及び同等効果の構造変化はすべて本考案の特許範囲内に含まれる。
【００１８】
上述をまとめると、本考案の多辺形ＬＥＤの連結構造体は使用時にその効果と目的を確実に達することができるため、本考案は実用性に優れた創作であり、実用新案登録出願の要件を満たしているため、法に基づき出願を提出するものである。
【符号の説明】
【００１９】
１０      変圧器
２０、２０ａ、２０ｂ    ＬＥＤモジュールアッセンブリ
２１、２１ａ、２１ｂ    ＬＥＤモジュール
２１１、２１１ａ、２１１ｂ    側辺
２１２、２１２ａ、２１２ｂ    ＬＥＤ発光素子
【図１】
0003158252.tif 000003
【図２】
0003158252.tif 000004
【図３】
0003158252.tif 000005
【図４】
0003158252.tif 000006
【図５】
0003158252.tif 000007
【図６】
0003158252.tif 000008
【手続補正書】
【提出日】平成22年1月20日(2010.1.20)
【手続補正１】
【補正対象書類名】実用新案登録請求の範囲
【補正対象項目名】請求項２
【補正方法】変更
【補正の内容】
【請求項２】
前記ＬＥＤモジュールが、螺合固定、半田付け固定、嵌入固定、緊密接合、接着固定で相互に連結されることを特徴とする、請求項１に記載の多辺形ＬＥＤの連結構造体。